(57)【要約】【課題】表面が擦れた場合や長期間の使用でも劣化することが無い鞄パーツ用キャップ及びそれを取り付けた鞄パーツを提供する。【解決手段】キャップは、上面部２と側面部３と先端部４を具備し、樹脂製シート材１０１の裏面に印刷面１０２を形成し、樹脂製シート材の表面側が凸状になるように形成され、鞄パーツは、頭部１２と頭部裏面側に連設された脚部１３と頭部を覆うキャップ部１６を具備した鋲１１と、基板２３と基板正面側を覆うカバー２４を具備する筐体部２２と、上端部に連結部２７を具備して上方部分を筐体部２２の上方に延出させた状態で筐体部内に回動自在に軸支された一対の連結アーム２５と、筐体部を覆うキャップ２９を具備した背環２１と、ベース３２とベースに回動自在に取り付けられた係止つまみ３３と、ベースを覆うキャップ部３４を具備した錠前３１を含む。【選択図】図１
2017192579.tif 000002
【特許請求の範囲】
【請求項１】
鞄の構成部材を連結しあるいは鞄の外観を飾るための鞄パーツに用いられる鞄パーツ用キャップであって、
鞄パーツの表面側を覆う上面部（２）と、鞄パーツの側面側を覆う側面部（３）と、鞄パーツの裏面側に係止される先端部（４）を具備して、
樹脂製シート材（１０１）の裏面に模様やキャラクターを印刷して印刷面（１０２）を形成し、
前記樹脂製シート材（１０１）の表面側が凸状になるように成形することで形成される、ことを特徴とする、鞄パーツ用キャップ。
【請求項２】
凸状にした表面の一部分を更に凸状としたことを特徴とする請求項１に記載の鞄パーツ用キャップ。
【請求項３】
鞄の構成部材に取り付けられて構成部材を連結しあるいは鞄の外観を飾るための鞄パーツであって、
構成部材の表面に露出する頭部（１２）と、
該頭部（１２）の裏面側に連設された、取り付け対象となる鞄の構成部材を貫通する脚部（１３）と、
前記頭部（１２）を覆うキャップ部（１６）と、を具備し、
前記キャップ部（１６）は、請求項１又は請求項２に記載の鞄パーツ用キャップ（１）を前記頭部（１２）に被せ、該頭部（１２）に被せたキャップ（１）の先端部（４）を内側に折り曲げ、該折り曲げた部分を前記頭部（１２）の裏面に溶着することで具備した、ことを特徴とする鞄パーツ。
【請求項４】
背負いベルトを有する背負い鞄において背負いベルトの上端を鞄本体に連結するための鞄パーツであって、
基板（２３）と該基板（２３）の正面側を覆うカバー（２４）とを具備する筐体部（２２）と、
上方部分を前記筐体部（２２）の上方に延出させた状態で前記筐体部（２２）内に回動自在に軸支された一対の連結アーム（２５）と、
該連結アーム（２５）の上端に備えられた、背負いベルトのそれぞれの上端が固定される連結部（２７）と、
前記筐体部（２２）を覆うキャップ部（２９）と、を具備し、
前記キャップ部（２９）は、請求項１又は請求項２に記載の鞄パーツ用キャップ（１）を前記筐体部（２２）に被せ、該筐体部（２２）に被せたキャップ（１）の先端部（４）を内側に折り曲げ、該折り曲げた部分を前記筐体部（２２）の裏面に溶着することで具備した、ことを特徴とする鞄パーツ。
【請求項５】
被せ蓋を有する鞄において被せ蓋の先端部を鞄本体に連結するための鞄パーツであって、
鞄本体に取り付けられるベース（３２）と、
該ベース（３２）に回動自在に取り付けられた、被せ蓋の先端に備えた係止金具が着脱自在に係止される係止つまみ（３３）と、
前記ベース（２２）を覆うキャップ部（３４）と、を具備し、
前記キャップ部（３４）は、請求項１又は請求項２に記載の鞄パーツ用キャップ（１）を前記ベース（３２）に被せて、該ベース（３２）に被せたキャップ（１）の先端部（４）を内側に折り曲げ、該折り曲げた部分を前記ベース（３２）の裏面に溶着することで具備した、ことを特徴とする鞄パーツ。
【発明の詳細な説明】
【技術分野】
【０００１】
本発明は、鞄の構成部材を連結しあるいは鞄の外観を飾るための鞄パーツに用いられる鞄パーツ用キャップ及びそれを備えた鞄用パーツに係り、より詳しくは、鞄パーツを多彩な表現で飾ることができるとともに、長期間の使用によっても表現している部分が劣化することが無い鞄パーツ用キャップ及びそれを備えた鞄用パーツに関する。
【背景技術】
【０００２】
一般的にランドセル等の鞄では、構成部品を連結するために、あるいは見た目の外観を飾るために鞄パーツが用いられる。例えば図１５は、一般的にランドセル等において被せ蓋、ベルト等の構成部材に取り付けられる鋲を説明するための断面図であり、この鋲は一般的に、図１５に示すように、頭部３２と、この頭部３２の下側に連設した胴部３３を有しており、胴部３３の下端側には脚部３４が連設されている。また、脚部３４は内部を中空として中空部３５を有した中空の筒状としており、脚部３４で部材を貫通した後に脚部３４を外周側に変形させてかしめることで、頭部３２を部材の表面側に露出させた状態で、鋲３１を部材に取り付けることを可能としている。即ち、図１６が、前述の鋲３１をランドセルの被せ蓋、ベルト等の部材３６に取り付けた状態を示す断面図であり、図において３６が、被せ蓋、ベルト等の部材である。また３７はハトメであり、図において従来の鋲３１を部材３６に取り付ける場合は、部材３６に貫通孔３８を形成した後に、貫通孔３８にハトメ３７を嵌め込み、その状態で、脚部３４でハトメ３７を貫通し、頭部３２の下面が十分にハトメの表面に当接した状態で脚部３４をかしめて、それによって、鋲３１を部材３６に取り付けることが可能となる。
【０００３】
ところで、ランドセル等に用いられる鋲では、見た目の華やかさを演出するために、鋲の頭部に模様やキャラクターを表示したシールを備えることがあり、また安全確保を目的として、光シートや反射シートを鋲の頭部に備えることがあるが、このように模様やキャラクターを表示したシールや、光シートや反射シートを鋲の頭部に備える場合は、従来は、接着剤を用いてシートやシールを頭部の上面に接着することが一般的であった。
【先行技術文献】
【特許文献】
【０００４】
【特許文献１】実用新案登録第３０３３８０８号公報
【特許文献２】実用新案登録第３０３３３１３号公報
【発明の概要】
【発明が解決しようとする課題】
【０００５】
しかしながら、接着剤を用いてシートやシールを頭部の上面に接着した場合には、長期間使用している間にシールやシートが剥がれてしまうおそれも考えられた。また、シールやシートの表面が何かに擦れた場合には、模様等が剥がれてしまうおそれもあり、その場合には、見栄えが悪くなってしまうという問題点が考えられた。
【０００６】
また、一般的にランドセルでは、肩ベルトの上端をランドセル本体に取り付けるために背環を具備しており、更に、被せ蓋の先端をランドセルの底部分に着脱自在に係止するために、底部分の外側に錠前を具備しているが、これらの背環、錠前に関しては、特に人目に付く部分ではないために、模様等を表示することは無く、そのために、味気ないものとなっていた。
【０００７】
そこで、本発明は、鋲、背環及び錠前等の鞄パーツを模様やキャラクターで飾ることができるとともに、表面が擦れた場合でも模様やキャラクターが剥がれることが無く、更に長期間の使用でも取れることが無い鞄パーツ用キャップ及びそれを備えた鞄パーツを提供することを課題としている。
【課題を解決するための手段】
【０００８】
本発明の鞄パーツ用キャップは、鞄の構成部材を連結しあるいは鞄の外観を飾るための鞄パーツに用いられる鞄パーツ用キャップであって、鞄パーツの表面側を覆う上面部と、鞄パーツの側面側を覆う側面部と、鞄パーツの裏面側に係止される先端部を具備して、樹脂製シート材の裏面に模様やキャラクターを印刷して印刷面を形成し、前記樹脂製シート材の表面側が凸状になるように成形することで形成される、ことを特徴としている。
【０００９】
そして、このキャップを備えた本発明の鞄パーツは、鞄の構成部材に取り付けられて構成部材を連結しあるいは鞄の外観を飾るための鞄用鋲や、背負いベルトを有する背負い鞄において背負いベルトの上端を鞄本体に連結するための鞄用背環や、被せ蓋を有する鞄において被せ蓋の先端部を鞄本体に連結するための鞄用錠前を含んでおり、鞄パーツの一つである鞄用鋲は、構成部材の表面に露出する頭部と、該頭部の裏面側に連設された、取り付け対象となる鞄の構成部材を貫通する脚部と、前記頭部を覆うキャップ部と、を具備し、前記キャップ部は、前述した本発明の鞄パーツ用キャップを前記頭部に被せて、該頭部に被せたキャップの先端部を内側に折り曲げ、該折り曲げた先端部を前記頭部の裏面に溶着することで具備したことを特徴としている。
【００１０】
また、本発明のキャップを備えた本発明の鞄パーツの一つである鞄用背環は、背負いベルトを有する背負い鞄において背負いベルトの上端を鞄本体に連結するための背環であって、基板と該基板の正面側を覆うカバーとを具備する筐体部と、上方部分を前記筐体部の上方に延出させた状態で前記筐体部内に回動自在に軸支された一対の連結アームと、該連結アームの上端に備えられた、背負いベルトのそれぞれの上端が固定される連結部と、前記筐体部を覆うキャップ部と、を具備し、前記キャップ部は、前述した本発明の鞄パーツ用キャップを前記筐体部に被せ、該筐体部に被せたキャップの先端部を内側に折り曲げ、該折り曲げた先端部を前記筐体部の裏面に溶着することで具備したことを特徴としている。
【００１１】
更に、本発明のキャップを備えた本発明の鞄パーツの一つである鞄用錠前は、被せ蓋を有する鞄において被せ蓋の先端部を鞄本体に連結するための錠前であって、鞄本体に取り付けられるベースと、該ベースに回動自在に取り付けられた、被せ蓋の先端に備えた係止金具が着脱自在に係止される係止つまみと、前記ベースを覆うキャップ部と、を具備し、前記キャップ部は、前述した本発明の鞄パーツ用キャップを前記ベースに被せて、該ベースに被せたキャップの先端部を内側に折り曲げ、該折り曲げた先端部を前記ベースの裏面に溶着することで具備したことを特徴としている。
【発明の効果】
【００１２】
本発明の鞄パーツ用キャップは、鞄パーツの表面側を覆う上面部と、鞄パーツの側面側を覆う側面部と、鞄パーツの裏面側に係止される先端部とを具備し、樹脂製シート材の裏面に模様やキャラクターを印刷し、その後に、表面側が凸状になるように成形することで形成されることを特徴としているため、表面が擦れた場合でも模様やキャラクターが擦れて消えてしまうことが無く、そのために、長期間の使用によっても見栄えが悪くなることが無い。また、キャップを用いることにより、鞄パーツのメッキや塗装が不要となり、コストを抑えることも可能となる。
【００１３】
そして、本発明の鞄パーツの一つである鞄用鋲は、鞄の構成部材の表面に露出する頭部と、この頭部の裏面側に連設された、取り付け対象となる鞄の構成部材を貫通する脚部と、前記頭部を覆うキャップ部とを具備するとともに、頭部を覆うキャップ部は、前述した本発明のキャップを頭部に被せて、この頭部に被せたキャップの先端部を内側に折り曲げ、折り曲げた先端部を頭部の裏面に溶着することで具備しているため、鋲の頭部が何らかの物で擦れた場合や、長期間使用した場合でも、模様やキャラクターが剥がれることが無いとともに、キャップ部が外れてしまうことも無い。
【００１４】
また、本発明の鞄パーツの一つである鞄用背環は、基板とこの基板の正面側を覆うカバーとを具備する筐体部と、上方部分を筐体部の上方に延出させた状態で筐体部内に回動自在に軸支された一対の連結アームと、連結アームの上端に備えられた、背負いベルトのそれぞれの上端が固定される連結部と、筐体部を覆うキャップ部とを具備するとともに、筐体部を覆うキャップ部は、前述した本発明のキャップを筐体部に被せて、この筐体部に被せたキャップの先端部を内側に折り曲げ、折り曲げた先端部を筐体部の裏面に溶着することで具備しているため、背環の表面が何らかの物で擦れた場合や、長期間使用した場合でも、模様やキャラクターが剥がれることが無いとともに、キャップ部が外れてしまうことも無い。
【００１５】
更に、本発明の鞄パーツの一つである鞄用錠前は、鞄本体に取り付けられるベースと、このベースに回動自在に取り付けられた、被せ蓋の先端に備えた係止金具が着脱自在に係止される係止つまみと、ベースを覆うキャップ部とを具備するとともに、ベースを覆うキャップ部は、前述した本発明のキャップをベースに被せて、このベースに被せたキャップの先端部を内側に折り曲げ、折り曲げた先端部をベースの裏面に溶着することで具備しているために、錠前の表面が何らかの物で擦れた場合や、長期間使用した場合でも、模様やキャラクターが剥がれることが無いとともに、キャップ部が外れてしまうことも無い。
【図面の簡単な説明】
【００１６】
【図１】本発明のキャップの実施例の斜視図である。
【図２】本発明のキャップの実施例の縦断正面構造を示す図である。
【図３】本発明のキャップの実施例の製造方法を説明するための図である。
【図４】本発明の鋲の実施例の斜視図である。
【図５】本発明の鋲の実施例の縦断正面図である。
【図６】本発明の鋲の実施例におけるキャップの取付方法を説明するための図である。
【図７】本発明の鋲の実施例におけるキャップの取付方法を説明するための図である。
【図８】本発明の鋲の実施例におけるキャップの取付方法を説明するための図である。
【図９】本発明の背環の実施例の正面図である。
【図１０】本発明の背環の実施例の側面図である。
【図１１】本発明の背環の実施例におけるキャップの取付方法を説明するための図である。
【図１２】本発明の錠前の実施例の正面図である。
【図１３】本発明の錠前の実施例の底面図である。
【図１４】本発明の錠前の実施例におけるキャップの取付方法を説明するための図である。
【図１５】従来の鋲を説明するための図である。
【図１６】従来の鋲を説明するための図である。
【発明を実施するための形態】
【００１７】
本発明の鞄パーツ用キャップは、鞄パーツの表面側を覆う上面部と、鞄パーツの側面側を覆う側面部と、鞄パーツの裏面側に係止される先端部を具備し、樹脂製シート材の裏面に模様やキャラクターを印刷し、その後に、真空成型等によって、非印刷面である表面側が凸状になるように成形して形成される。
【００１８】
ここで、表面の一部分を更に凸状とするとよく、これにより、立体的なキャップにすることが可能である。
【００１９】
そして、このように構成される本発明のキャップを備えた鞄パーツとしての本発明の鞄用鋲は、鞄の構成部材に取り付けられて構成部材を連結しあるいは鞄の外観を飾るための鋲であって、構成部材の表面に露出する頭部と、頭部の裏面側に連設された脚部を有しており、脚部は、取り付け対象となる鞄の構成部材を貫通することとし、頭部はキャップ部で覆われている、
【００２０】
そして頭部を覆っているキャップ部は、前述の本発明のキャップを用いており、本発明のキャップを頭部に被せて、その後にキャップにおける先端部を内側に折り曲げ、次に、折り曲げた先端部を頭部の裏面に熱溶着等の方法によって溶着し、それによって、頭部に取り付けたことを特徴としている。
【００２１】
また、本発明のキャップを備えた鞄パーツとしての本発明の鞄用背環は、背負いベルトを有する背負い鞄において背負いベルトの上端を鞄本体に連結するための鞄用背環であって、基板と基板の正面側を覆うカバーを具備する筐体部を有しており、上方部分を筐体部の上方に延出させた状態で、筐体部内には、一対の連結アームが回動自在に軸支されている。更に、連結アームの上端には、背負いベルトのそれぞれの上端が固定される連結部が備えられており、筐体部は、キャップ部で覆われている。
【００２２】
そして、筐体部を覆っているキャップ部は前述の本発明のキャップを用いており、本発明のキャップを筐体部に被せて、その後にキャップにおける先端部を内側に折り曲げ、次に、折り曲げた先端部を筐体部の裏面に熱溶着等の方法によって溶着し、それによって、筐体部に取り付けたことを特徴としている。
【００２３】
更に、本発明のキャップを備えた鞄パーツとしての本発明の鞄用錠前は、被せ蓋を有する鞄において被せ蓋の先端部を鞄本体に連結するための錠前であり、鞄本体に取り付けられるベースと、ベースに回動自在に取り付けられた係止つまみを有しており、係止つまみは、被せの蓋の先端に備えた係止金具が着脱自在に係止されるものとしており、ベースはキャップ部で覆われている。
【００２４】
そして、ベースを覆っているキャップ部は前述の本発明のキャップであり、このキャップは、本発明のキャップをベースに被せ、その後にキャップにおける先端部を内側に折り曲げ、次に、折り曲げた先端部をベースの裏面に熱溶着等の方法によって溶着し、それによって、ベースに取り付けたことを特徴としている。
【実施例１】
【００２５】
本発明の鞄パーツ用キャップ（以下単に「キャップ」という。）の実施例について図面を参照して説明すると、図１は本実施例のキャップの斜視図であり、また図２は本実施例のキャップの縦断正面図であり、図において１が本実施例のキャップである。
【００２６】
そして、本実施例のキャップ１は、ランドセルにおける被せ蓋、肩ベルト等の構成部材に取り付けられて構成部材を連結し、あるいはランドセルの外観を飾るための鞄パーツとしての鋲に用いられるキャップとしている。
【００２７】
また、本実施例のキャップ１は、全体を樹脂、より詳しくはＰＥＴ樹脂により形成しており、鞄パーツの表面側を覆う上面部２を有しており、この上面部２は、取り付けられる鞄パーツの表面形状に対応した形状にしており、鞄パーツの表面を十分に覆うことを可能としている。
【００２８】
次に、前記上面部２の下側には、鞄パーツの側面側を覆う側面部３を連設しており、この側面部３の長さ寸法は、鞄パーツの側面の長さとほぼ同じとし、鞄パーツの側面を十分に覆うことを可能としている。
【００２９】
そして、この側面部３の下端には、鞄パーツの裏面側に係止される先端部が連設されている。即ち、図において４が先端部であり、この先端部４は、前記側面部３と同じ径としており、前記上面部２で鞄パーツの表面側を覆うとともに、前記側面部３で鞄パーツの側面側を覆った後に、先端部４を内側に折り曲げることで、鞄パーツの裏面側の一部を覆いつつ裏面側に係止されることとしている。
【００３０】
次に、図において６は模様部分である。即ち、本実施例のキャップ１では、キャップ１の全体又は一部分に模様を表示しており、これにより鞄パーツを飾ることを可能にしている。そして後述するように前記模様表示は、裏面側に施している。なお、本発明のキャップは、必ずしも鋲に用いられるキャップに限定されず、鞄の構成部材を連結し、あるいは鞄の外観を飾るための鞄パーツの全般に用いられる。
【００３１】
次に、このように構成される本実施例のキャップ１の製造方法について図３を参照して説明すると、本実施例のキャップ１は、ＰＥＴ樹脂製のシートを用いて製造される。即ち、図において（ａ）がＰＥＴ製樹脂シート１０１であり、本実施例のキャップ１を製造するときは、（ｂ）に示すように、ＰＥＴ樹脂製のシート１０１の裏面に、任意の模様やキャラクターを印刷して印刷面１０２を形成する。そして次に、（ｃ）に示すように、印刷面１０２に、白色のインキ等を塗布して塗装面１０３を形成する。
【００３２】
そして次に、非印刷面となる表面側が凸状になるようにして、更に上面部２が鋲、背環及び錠前の表面形状に対応した形状になるように成形し、これにより、鋲、背環及び錠前の表面側を覆う上面部２と、鋲、背環及び錠前の側面側を覆う側面部３と、鋲、背環及び錠前の裏面側に係止される先端部４を具備したキャップ１が形成される。
【００３３】
なお、成形方法は特に限定されないが、真空成型、プレス成型等、シート状物を立体的に形成可能な方法であればいずれの方法を採用してもよい。また、キャップを製造する場合には、大きいシートを用いて、このシートから多数のキャップを形成するとよく、これにより大量生産が可能となる。
【００３４】
また、本実施例においては、前記上面部２の一部を更に凸状に形成して突出部５を形成し、更に、前記印刷面１０２の形成に際しては、この突出部５になる部分にハート状の模様を印刷しているが、必ずしも突出部５を形成する必要はなく、上面部２を平坦にしても良い。更に、印刷面の模様は特に限定されず、印刷箇所も特に限定されない。
【００３５】
このように、本実施例のキャップ１では、ＰＥＴ樹脂製のシートの裏面に模様やキャラクターを印刷し、その後に非印刷面である表面側が凸状になるように成形して形成しているために、表面が擦れた場合でも、模様やキャラクターが擦れて消えてしまうことが無く、そのために、長期間の使用によっても見栄えが悪くなることが無い。また、このキャップ１を鞄用鋲等の鞄パーツに用いることにより、鞄パーツにメッキ、塗装等の処理を施すことが不要となり、コストを抑えることが可能となる。
【００３６】
次に、このように構成されるキャップ１を備えた本発明の鞄パーツについて図を参照して説明すると、本発明の鞄パーツとしては、
（１）ランドセルにおける被せ蓋、肩ベルト等の構成部材に取り付けられ、構成部材を連結し、あるいはランドセルの外観を飾るための鋲、
（２）ランドセル等の背負いベルトを有する背負い鞄において背負いベルトの上端を鞄本体に連結するための背環、
（３）ランドセルの被せ蓋の先端部をランドセル本体に連結するための錠前、が含まれる。但し、本発明の鞄パーツは必ずしも鋲、背環、錠前に限定されるものでは無く、鞄の構成部材を連結しあるいは鞄の外観を飾るために用いられるとともに、キャップを装着することが可能であればいずれの鞄パーツでも良い。
【００３７】
まず鋲について説明すると、図４は本発明の鞄パーツとしての鋲の実施例の斜視図、図５は縦断正面構造を示す図である。そして１１が本実施例の鋲で、本実施例の鞄用鋲１１は、構成部材の表面に露出する頭部１２を有している。
【００３８】
また、前記頭部１２の裏面側には、取り付け対象となるランドセルの構成部材を貫通する脚部１３が連設されており、前記頭部１２にはキャップ部１６が被せられており、これにより、前記頭部１２はキャップ部１６で覆われている。
【００３９】
ここで、前記キャップ部１６について参照して説明すると、本実施例の鋲１１にキャップ部１６を備える場合には、まず、図６で矢印に示すように、前述の本発明のキャップ１を用いて、これを前記頭部１２に被せる。この状態が図７であり、この状態において、次に、前記頭部１２に被せたキャップ１の先端部４を、前記頭部１２の裏面に当接するように、内側に折り曲げる。そして、折り曲げた先端部４を加熱し、それにより、先端部４を頭部１２の裏面に溶着し、キャップ部１６を頭部１２に具備する。この状態の断面図が図８である。
【００４０】
このように、本実施例の鋲１１では、前述の本発明のキャップ１の先端部４を頭部１２の裏面に溶着してキャップ部１６を具備しているために、表面が擦れた場合でも、模様やキャラクターが擦れて消えてしまうことが無いとともに、キャップ部が外れてしまうことも防止できる。なお、本実施例の鋲１１は、前記脚部１３の下端に、脚部１３よりも小径の連結部１４を介して、同じく脚部１３よりも小径の係止片１５を連接しており、取り付け対象となるランドセルの構成部材を脚部１３が貫通した後に、前記係止片１５に固定部材を係止することで脚部１３が抜け出ることを防止して、これにより、鋲１１をランドセルの構成部材に取り付けられることとしている。
【００４１】
次に、図９乃至図１１を参照して、本発明の鞄パーツとしての背環の実施例を説明すると、図９は本形態の鞄パーツの正面図、図１０は側面図であり、図において２１が本実施例の背環である。そして、本実施例の背環２１は、基板２３と、この基板２３の正面側を覆うカバー２４を具備しており、基板２３とカバー２４で筐体部２２が構成され、前記筐体部２２には、前述のキャップ部２９が被せられており、これにより、前記筐体部２２はキャップ部２９で覆われている。
【００４２】
次に、前記筐体部２２には一対の連結アームが回動自在に軸支されている。即ち、図において２５が連結アームであり、本実施例の連結アーム２５は、上方部分を前記筐体部２２の上方に延出させた状態で、前記筐体部２２内に回動自在に軸支されている。
【００４３】
そして、前記連結アーム２５は、前記筐体部２２の内部に軸支されているアーム本体部２６と、このアーム本体部２６の上方部分に連設された連結部２７を具備しており、連結部２７は、ランドセルの肩ベルトの上端が固定される部分としている。なお、図において２８は背環２１をランドセルの背板に取り付けるためのビス穴である。
【００４４】
ここで、前記キャップ部２９で前記筐体部２２を覆う方法について図面を参照して説明すると、本実施例の筐体部２２をキャップ部２９で覆う場合は、図１１で矢印に示すように、前述のキャップ１を、適宜連結アームに対向する部分を切り欠いて、前記筐体部２２に被せ、次に、前記筐体部２２に被せたキャップ１の先端部４を、前記筐体部２２の裏面に当接するように内側に折り曲げる。そして、折り曲げた先端部４を加熱し、それにより先端部４を筐体部２２の裏面に溶着し、キャップ部２９を筐体部２２に具備する。
【００４５】
このように、本実施例の背環２１では、前述の本発明のキャップ１の先端部４を筐体部２２の裏面に溶着してキャップ部２９を具備しているため、表面が擦れた場合でも、模様やキャラクターが擦れて消えてしまうことが無いとともに、キャップ部２９が外れてしまうことも防止できる。また、メッキや塗装を施すことも不要となりコストを抑えることが可能である。なお、本実施例の背環２１は、一般的にランドセルに用いられる背環の筐体部２２をキャップ部２９で覆った点を特徴としているため、背環の詳細な説明は省略する。
【００４６】
次に、図１２乃至図１４を参照して、本発明の鞄パーツとしての錠前の実施例を説明すると、図１２は本実施例の錠前の正面図、図１３は下面図であり、図において３１が本実施例の錠前である。そして本実施例の錠前３１は、ランドセルに取り付けられるベース３２を有しており、このベース３２の中央部分には、ランドセルの被せ蓋の先端に備えた係止金具が着脱自在に係止される係止つまみ３３が回動自在に連結されている。
【００４７】
そして、係止つまみ３３は、前記係止金具に形成された係止孔を貫通可能な形状であるとともに、貫通した後に回動することで係止孔から抜け出ることが不可能とされ、それにより、ランドセルの被せ蓋をランドセル本体に連結可能としている。
【００４８】
また、前記ベース３２にはキャップ部が備えられており、即ち、前記ベース３２は、前述のキャップ部３４で覆われている。
【００４９】
ここで、前記キャップ部３４で前記ベース３２を覆う方法について図面を参照して説明すると、本実施例のベース３２にキャップ部３４を取り付ける場合には、図１４で矢印に示すように、前述のキャップ１を、係止つまみ３３が貫通する貫通孔を形成した状態で前記ベース３２に被せ、次に、前記ベース３２に被せたキャップ１の先端部４を、前記ベース３２の裏面に当接するように内側に折り曲げる。そして、折り曲げた先端部４を加熱し、それにより、先端部４をベース３２の裏面に溶着し、キャップ部３４をベース３２に具備する。
【００５０】
このように、本実施例の錠前３１では、前述の本発明のキャップ１の先端部４をベース３２の裏面に溶着してキャップ部３４を具備しているため、表面が擦れた場合でも、模様やキャラクターが擦れて消えてしまうことが無いとともに、キャップ部３４が外れてしまうことも防止できる。また、メッキや塗装を施すことも不要となりコストを抑えることが可能である。なお、本実施例の錠前３１は、一般的にランドセルに用いられている錠前のベース３２をキャップ部３４で覆った点を特徴としているため、錠前の詳細な説明は省略する。
【産業上の利用可能性】
【００５１】
本発明の鞄パーツ用キャップ及びそれを備えた鞄パーツは、鞄を構成する鞄パーツの全般に適用可能である。
【符号の説明】
【００５２】
１    キャップ
１０１    ＰＥＴ製樹脂シート
１０２    印刷面
１０３    塗装面
２    上面部
３    側面部
４    先端部
５    突出部
６    模様部分
１１    鋲
１２    頭部
１３    脚部
１４    連結部
１５    係止片
１６    キャップ部
２１    背環
２２    筐体部
２３    基板
２４    カバー
２５    連結アーム
２６    アーム本体部
２７    連結部
２８    ビス孔
２９    キャップ部
３１    錠前
３２    ベース
３３    係止つまみ
３４    キャップ部
【図１】
2017192579.tif 000003
【図２】
2017192579.tif 000004
【図３】
2017192579.tif 000005
【図４】
2017192579.tif 000006
【図５】
2017192579.tif 000007
【図６】
2017192579.tif 000008
【図７】
2017192579.tif 000009
【図８】
2017192579.tif 000010
【図９】
2017192579.tif 000011
【図１０】
2017192579.tif 000012
【図１１】
2017192579.tif 000013
【図１２】
2017192579.tif 000014
【図１３】
2017192579.tif 000015
【図１４】
2017192579.tif 000016
【図１５】
2017192579.tif 000017
【図１６】
2017192579.tif 000018